(57)【要約】【課題】  回路基板上の広い範囲に有効的に回路や電気部品を配置でき、しかも回路基板を誤った位置で基板支持部に取り付けるのを防止でき、回路基板の回路基板支持構造体に対する位置決めが容易になる回路装置を提供する。【解決手段】  基板支持部２１〜２５をベース部材１９の周壁部２９の周方向に不等間隔をあけて配置する。基板支持部２１〜２５に、厚み方向に間隔を開け且つ平行に延びるｎ個の仮想平面ＩＰ１〜ＩＰ３内にそれぞれステップ面３９Ａ〜３９Ｃが位置するように階段状に形成されたｎ段のステップ部４１を形成する。同一の仮想平面ＩＰ１〜ＩＰ３内に位置するステップ面３９Ａ〜３９Ｃを同じ回路基板１３〜１７の裏面の外周縁部に接触させる。回路基板１３〜１７の外周部に形成した凹部に、基板支持部２１〜２５における同一の仮想平面ＩＰ１〜ＩＰ３が横切る各部分を嵌合する。【選択図】  図７
2009290127.tif 000002
【特許請求の範囲】
【請求項１】
信号処理回路及び電源回路に含まれる電気部品が、分散して実装されたｎ枚（ｎは２以上の整数）の回路基板と、前記ｎ枚の回路基板を該回路基板の厚み方向に所定の間隔をあけて支持する回路基板支持構造体とを有する回路装置であって、
前記回路基板支持構造体は、被固定部に固定される環状の周壁部を有するベース部材と、前記周壁部の周方向に所定の間隔をあけて前記周壁部と一体に設けられて前記厚み方向に延びる３本以上の基板支持部とを備えており、
前記３本以上の基板支持部には、それぞれ前記厚み方向に間隔を開け且つ平行に延びるｎ個の仮想平面内にそれぞれステップ面が位置するように階段状に形成されたｎ段のステップ部が形成されており、
前記３本以上の基板支持部及び前記ｎ枚の回路基板の形状は、同一の前記仮想平面内に位置する３個以上の前記ステップ面が同じ前記回路基板の裏面の外周縁部と接触し、且つ前記同一の仮想平面が横切る前記３本以上の基板支持部の各部分と前記回路基板の外周部とが干渉しないように定められていることを特徴とする回路装置。
【請求項２】
前記３本以上の基板支持部は前記周方向に不等間隔をあけて配置されている請求項１に記載の回路装置。
【請求項３】
前記回路基板の前記外周部には、前記厚み方向と該厚み方向と直交し且つ前記回路基板の中心から前記回路基板の基板表面に沿って外側に延びる方向の両方向に開口する３個以上の凹部が形成されており、
前記３個以上の凹部には、前記３本以上の基板支持部の前記各部分が嵌合されることを特徴とする請求項１または２に記載の回路装置。
【請求項４】
３枚の前記回路基板が設けられ、
中間の前記回路基板上に配置された設定を必要とする前記電気部品の複数の設定用電極部に電気的に接続された複数本の接続導体が、前記ベース部材とは反対側に位置する他の１枚の前記回路基板に形成された複数の貫通孔を通して該他の１枚の回路基板の基板表面から突出していることを特徴とする請求項１に記載の回路装置。
【請求項５】
アナログ信号を演算するアナログ演算回路部と、デジタル信号を演算するデジタル演算回路部と、回路全体の電源を生成する電源回路部とが、所定の間隔をあけて配置されたｎ枚（ｎは２以上の整数）の回路基板に実装され、前記ｎ枚の回路基板に設けられた複数の電気回路が複数の導電性接続部を介して電気的に接続されている回転位置検出用エンコーダであって、
前記ｎ枚の回路基板が、被固定部に固定される環状の周壁部を有するベース部材と、前記周壁部の周方向に所定の間隔あけて前記周壁部と一体に設けられて前記一方の方向に延びる３本以上の基板支持部とを備えた回路基板支持構造体に支持されており、
前記３本以上の基板支持部には、それぞれ前記厚み方向に間隔を開け且つ平行に延びるｎ個の仮想平面内にそれぞれステップ面が位置するように階段状に形成されたｎ段のステップ部が形成されており、
前記３本以上の基板支持部及び前記ｎ枚の回路基板の形状は、同一の前記仮想平面内に位置する３個以上の前記ステップ面が同じ前記回路基板の裏面の外周縁部と接触し、且つ前記同一仮想平面が横切る前記３本以上の基板支持部の各部分と前記回路基板の外周部とが干渉しないように定められていることを特徴とする回転位置検出用エンコーダ。
【発明の詳細な説明】
【技術分野】
【０００１】
本発明は、回路装置及び該回路装置を備えた回転位置検出用エンコーダに関するものである。
【背景技術】
【０００２】
特開２００７−１０９８３２号公報の図２には、２枚以上の回路基板と、これらの２枚以上の回路基板を該回路基板の厚み方向に所定の間隔をあけて支持する基板支持部とを有する回路装置が示されている。基板支持部には、平行に延びる２以上の仮想平面内にそれぞれステップ面が位置するように階段状に形成されたステップ部が形成されている。また、２枚以上の回路基板には該回路基板を厚み方向に貫通するスルーホールが形成されている。そして、同一仮想平面内に位置するステップ面と回路基板の裏面とを接触させて、基板支持部は２枚以上の回路基板を支持している。
【特許文献１】特開２００７−１０９８３２号公報（図２）
【発明の開示】
【発明が解決しようとする課題】
【０００３】
しかしながら、従来の回路装置では、回路基板上の広い範囲に有効的に回路や電気部品を配置することができなかった。
【０００４】
本発明の目的は、回路基板上の広い範囲に有効的に回路や電気部品を配置できる回路装置及び回転位置検出用エンコーダを提供することがにある。
【０００５】
本発明の他の目的は、回路基板を誤った位置で基板支持部に取り付けるのを防止でき、回路基板の回路基板支持構造体に対する位置決めが容易になる回路装置及び回転位置検出用エンコーダを提供することにある。
【０００６】
本発明のさらに他の目的は、中間の回路基板上に搭載されている電気部品に回路外部からアクセスするときに、アクセス用信号ピン専用のコネクタを必要としない回路装置及び回転位置検出用エンコーダを提供することにある。
【課題を解決するための手段】
【０００７】
本願発明が改良の対象とする回路装置は、信号処理回路及び電源回路に含まれる電気部品が、分散して実装されたｎ枚（ｎは２以上の整数）の回路基板と、ｎ枚の回路基板を該回路基板の厚み方向に所定の間隔をあけて支持する回路基板支持構造体とを有している。本発明では、回路基板支持構造体は、被固定部に固定される環状の周壁部を有するベース部材と、周壁部の周方向に所定の間隔あけて周壁部と一体に設けられて厚み方向に延びる３本以上の基板支持部とを備えている。３本以上の基板支持部には、それぞれ厚み方向に間隔を開け且つ平行に延びるｎ個の仮想平面内にそれぞれステップ面が位置するように階段状に形成されたｎ段のステップ部が形成されている。３本以上の基板支持部及びｎ枚の回路基板の形状は、同一の仮想平面内に位置する３個以上のステップ面が同じ回路基板の裏面の外周縁部と接触し、且つ同一の仮想平面が横切る３本以上の基板支持部の各部分と回路基板の外周部とが干渉しないように定められている。なお「３本以上の基板支持部の各部分と回路基板の外周部とが干渉しない」とは、回路基板または基板支持部の形状または構造が、回路基板の裏面とステップ面とを接触させることの障害にならないことを意味する。例えば、回路基板に凹部や孔部が形成され、これらの凹部や孔部に基板支持部の各部が嵌ることにより、干渉を避けることができる。
【０００８】
本発明では、ベース部材の周壁部に基板支持部を一体に設けて回路基板支持構造体を構成し、３本以上の基板支持部に階段状に形成されたステップ部により厚み方向に所定の間隔をあけた状態で２枚以上の回路基板の裏面の外周縁部を支持している。このため、基板支持部は、回路基板の外周縁部に位置することになり、回路基板上の広い範囲に有効的に回路パターンや電気部品を配置することができる。また、回路基板支持構造体が比較的単純な構造となり、回路基板支持構造体の形成が容易である上、回路基板支持構造体に回路基板を組み付ける作業が容易になる。
【０００９】
３本以上の基板支持部は周方向に不等間隔をあけて配置するのが好ましい。このようにすれば、回路基板と３本以上の基板支持部との位置関係が一義的に定まることになるため、回路基板を誤った位置で基板支持部に取り付けてしまうことを防止することができ、回路基板を回路基板支持構造体に対して正しい位置に位置決めすることが容易になる。
【００１０】
前述の干渉を発生させないようにするためには、例えば、回路基板の外周部に、回路基板の厚み方向と該厚み方向と直交し且つ回路基板の中心から回路基板の基板表面に沿って外側に延びる方向の両方向に開口する３個以上の凹部を形成する。そしてこれら３個以上の凹部には、３本以上の基板支持部の前述した各部分を嵌合させる。このようにすれば、回路基板と基板支持部とが干渉することなく、回路基板を３本以上の基板支持部でしっかりと支持することができる。
【００１１】
さらに、３枚の回路基板が設けられる構成で、中間の回路基板上に搭載された電気部品に回路外部からアクセスする場合は、電気部品の複数のアクセス用電極部に電気的に接続された複数本の接続導体をベース部材とは反対側に位置する他の１枚の回路基板に形成された複数の貫通孔を通して該他の１枚の回路基板の基板表面から突出させるのが好ましい。このようにすれば、中間の回路基板上の電気部品に直接的にコネクタを接続せずに、他の１枚の回路基板（最外層の回路基板）から突出した複数本の接続導体を介して中間の回路基板上に配置された電気部品に接続を行うことができる。なお中間の回路基板上の電気部品に必要な供給電圧が最外層の回路基板に供給される電圧と異なる場合は、最外層の回路基板にレギュレータを搭載し、レギュレータにより変圧を行って中間の回路基板上の電気部品に必要な電圧を供給すればよい。
【００１２】
本発明の回路装置は、種々の電気製品に用いることができる。例えば、本発明の回路装置は、回転位置検出用エンコーダに用いることができる。この場合、改良の対象とする回転位置検出用エンコーダは、アナログ信号を演算するアナログ演算回路部と、デジタル信号を演算するデジタル演算回路部と、回路全体の電源を生成する電源回路部とが、所定の間隔をあけて配置されたｎ枚（ｎは２以上の整数）の回路基板に実装され、ｎ枚の回路基板に設けられた複数の電気回路が複数の導電性接続部を介して電気的に接続されている。本発明では、ｎ枚の回路基板が、被固定部に固定される環状の周壁部を有するベース部材と、周壁部の周方向に所定の間隔あけて周壁部と一体に設けられて一方の方向に延びる３本以上の基板支持部とを備えた回路基板支持構造体に支持されている。３本以上の基板支持部には、それぞれ厚み方向に間隔を開け且つ平行に延びるｎ個の仮想平面内にそれぞれステップ面が位置するように階段状に形成されたｎ段のステップ部が形成されている。３本以上の基板支持部及びｎ枚の回路基板の形状は、同一の仮想平面内に位置する３個以上のステップ面が同じ回路基板の裏面の外周縁部と接触し、且つ同一仮想平面が横切る３本以上の基板支持部の各部分と回路基板の外周部とが干渉しないように定める。
【００１３】
回転位置検出用エンコーダ（特に小型の回転位置検出用エンコーダ）では、全体の回路機能を２枚以上の整数の回路基板にそれぞれ分けて配置し、該２枚以上の回路基板を所定の間隔をあけて配置することが求められることがある。そのため、本発明の回路装置を回転位置検出用エンコーダに用いた場合には、回路基板上の広い範囲に有効的に回路や電気部品を配置することができ、回転位置検出用エンコーダの小型化を図ることができる。また、回路基板支持構造体のベース部材内に、所望の電気部品等を収容することができる。
【発明の効果】
【００１４】
本発明によれば、ベース部材の周壁部に基板支持部を一体に設けて回路基板支持構造体を構成し、３本以上の基板支持部に階段状に形成されたステップ部により厚み方向に所定の間隔をあけた状態で２枚以上の回路基板の裏面の外周縁部を支持するため、基板支持部は、回路基板の外周縁部に位置することになり、回路基板上の広い範囲に有効的に回路パターンや電気部品を配置することができる。また、本発明によれば、回路基板支持構造体が比較的単純な構造となり、回路基板支持構造体の形成が容易である上、回路基板支持構造体に回路基板を組み付ける作業が容易になる利点が得られる。
【発明を実施するための最良の形態】
【００１５】
以下、図面を参照して、本発明を絶対位置検出用エンコーダに設けられる回路装置に適用した実施の形態の一例について詳細に説明する。図１は、本例の絶対位置検出用エンコーダの平面図であり、図２は図１のII-II線断面図である。図３〜図５は図２のIII-III線断面図、IV-IV線断面図及びV-V線断面図である。図２に示すように、本例のバッテリレス絶対位置検出用エンコーダは、エンコーダ本体１と、エンコーダ本体１の上側端部（図２の紙面において上側に位置する端部）に配置された回路装置３とを備えている。エンコーダ本体１は、ハウジング５と、４個のリラクタンスレゾルバＲＳ０〜ＲＳ３と、歯車機構ＧＭとを有している。図２には、２つのリラクタンスレゾルバＲＳ０及びＲＳ２だけを図示してある。リラクタンスレゾルバＲＳ０は、回転軸Ｓ０と、回転軸Ｓ０に固定されたロータＲ０と、ロータＲ０と間隔を隔てて配置されたステータＳＴ０とを有している。回転軸Ｓ０は、例えば図示しないモータの出力軸（被検出回転軸）に接続されている。リランスレゾルバＲＳ２は、回転軸Ｓ２と、回転軸Ｓ２に固定されたロータＲ２と、ロータＲ２と間隔を隔てて配置されたステータＳＴ２とを有している。図示しないリラクタンスレゾルバＲＳ１及びリラクタンスレゾルバＲＳ３も回転軸と、回転軸に固定されたロータと、ロータと間隔を隔てて配置されたステータとを有している。なお、図３に示す符号Ｓ１は、リラクタンスレゾルバＲＳ１の回転軸であり、符号Ｓ３は、リラクタンスレゾルバＲＳ３の回転軸である。歯車機構ＧＭは、図３に示すように、４本の回転軸Ｓ０〜Ｓ３にそれぞれ連結された平歯車Ｇ０〜Ｇ３が、同じ平面内で噛み合って回転するように構成されている。そして、４個のリラクタンスレゾルバＲＳ０〜ＲＳ３の各回転軸Ｓ０〜Ｓ３は、歯車機構ＧＭを介して連結されている。
【００１６】
図２に示すように、回路装置３は、回路基板支持構造体１１とｎ枚（ｎは２以上、本例では３枚）の第１〜第３の回路基板１３，１５，１７とを有している。回路基板支持構造体１１は、アルミダイキャストまたは樹脂成形により一体に形成されている。図６及び図７に示すように、回路基板支持構造体１１は、ハウジング５（被固定部）に固定されるベース部材１９と、３本の基板支持部２１，２３，２５とを一体に有している。なお、図７には、第１〜第３の回路基板１３，１５，１７の一部を一点鎖線で示している。ベース部材１９は、円板形状に近似した中央壁部２７と、環状の周壁部２９とを一体に有している。中央壁部２７には、エンコーダ本体１側に開口する凹部３１と、凹部３１の周囲に位置する３つの貫通孔３３，３５，３７とが形成されている。凹部３１内には、回転軸Ｓ０の端部が凹部３１の内壁と接触しないように配置されている（図２）。貫通孔３３，３５，３７は、エンコーダ本体１側に位置する小径部３３ａ，３５ａ，３７ａと、第１の回路基板１３側に位置する大径部３３ｂ，３５ｂ，３７ｂとをそれぞれ有している。大径部３３ｂ〜３７ｂは、小径部３３ａ〜３７ａよりそれぞれ径寸法が大きいため、大径部３３ｂ〜３７ｂと小径部３３ａ〜３７ａとの間には、段差面３３ｃ〜３７ｃがそれぞれ形成されている。３つの貫通孔３３〜３７内には、回転軸Ｓ１〜Ｓ３がそれぞれ配置されている。そして、小径部３３ａ〜３７ａ内には、回転軸Ｓ１〜Ｓ３を回転可能に支持するベアリングＢがそれぞれ配置されている。また、大径部３３ｂ〜３７ｂには、リラクタンスレゾルバＲＳ１〜ＲＳ３のステータＳＴ１〜ＳＴ３がそれぞれ配置されている。
【００１７】
３本の基板支持部２１，２３，２５は、ベース部材１９の周壁部２９の周方向に不等間隔をあけて配置されており、３枚の回路基板１３，１５，１７を支持している。３本の基板支持部２１〜２５は、基板支持部を構成する各部分の寸法が異なっているが、いずれも似たような形状を有している。そのため、基板支持部を構成する各部分には同じ符号を付してその構造を説明する。図７に示すように、基板支持部２１〜２５には、厚み方向に間隔を開け且つ平行に延びるｎ個（本例では３個）の仮想平面ＩＰ１〜ＩＰ３内にそれぞれステップ面３９Ａ〜３９Ｃが位置するように階段状に形成されたｎ段（本例では３段）のステップ部４１が形成されている。これにより、基板支持部２１〜２５は、４つの第１〜第４の壁部分４３Ａ〜４３Ｄを有することになる。第１〜第４の壁部分４３Ａ〜４３Ｄは、その順序にしたがって周方向の長さ寸法（幅寸法）が短くなる。第１の壁部分４３Ａは、基板支持部２１〜２５の仮想平面ＩＰ１が横切る部分のベース部材１９側に位置する部分を構成する。また第２の壁部分４３Ｂは、基板支持部２１〜２５の同一の仮想平面ＩＰ１が横切る部分を構成することになる。また第３の壁部分４３Ｃは、基板支持部２１〜２５の同一の仮想平面ＩＰ２が横切る部分を構成することになる。また第４の壁部分４３Ｄは、基板支持部２１〜２５の同一の仮想平面ＩＰ３が横切る部分を構成することになる。本例では、図６に示すように、３本の基板支持部２１，２３，２５の内、２本の基板支持部２３，２５は、それぞれのステップ部４１が相互に対向するように形状が定められている。また、基板支持部２１，２３，２５の順番で各基板支持部の第１の壁部分４３Ａの周方向の長さ寸法が短くなっている。また基板支持部２１，２３，２５の順番で第２の壁部分４３Ｂの周方向の長さ寸法が短くなっている。また基板支持部２１，２３，２５の順番で第３の壁部分４３Ｃの周方向の長さ寸法が短くなっている。さらに基板支持部２１，２３，２５の順番で第４の壁部分４３Ｄの周方向の長さ寸法が短くなっている。３本の基板支持部２１〜２５が３枚の回路基板１３〜１７を支持する態様は、後に詳細に説明する。
【００１８】
図２に示すように、基板支持部２１〜２５に支持される第１〜第３の回路基板１３〜１７は、第１〜第３の回路基板１３〜１７の厚み方向に所定の間隔をあけて配置されている。第１の回路基板１３上には、アナログ信号を演算するアナログ演算回路部が実装されており、第２の回路基板１５上には、デジタル信号を演算するデジタル演算回路部が実装されており、第３の回路基板１７上には、回路全体の電源を生成する電源回路部が実装されている。そして、第１〜第３の回路基板１３〜１７に設けられた複数の電気回路は、複数の導電性接続部（接続導体４７等）を介して電気的に接続されている。
【００１９】
図４に示すように、第１の回路基板１３は、ほぼ円板形状を有している。第１の回路基板１３の外周部には、第１の回路基板１３の厚み方向と該厚み方向と直交し且つ第１の回路基板１３の中心から第１の回路基板１３の基板表面に沿って外側に延びる方向の両方向に開口する３個の凹部１３ａ〜１３ｃが形成されている。３個の凹部１３ａ〜１３ｃには、３本の基板支持部２１〜２５の第２の壁部分４３Ｂがそれぞれ嵌合されている。このように、基板支持部２１〜２５のステップ部４１は、３本の基板支持部２１〜２５の第２の壁部分４３Ｂと第１の回路基板１３の外周部とが干渉しないように定められている。また、凹部１３ａ〜１３ｃは、第２の壁部分４３Ｂとしっかりと嵌合される形状及び寸法を有している。このため、３個の凹部１３ａ〜１３ｃは、３本の基板支持部２１，２３，２５の第２の壁部分４３Ｂに対応して、周方向に不等間隔をあけて配置されており、凹部１３ａ〜１３ｃの順番で周方向の長さ寸法Ｌ１〜Ｌ３が短くなっている。また、第１の回路基板１３の裏面の外周縁部の凹部１３ａ〜１３ｃにそれぞれ隣接する部分１３ｅは、基板支持部２１，２３，２５の同一の仮想平面ＩＰ１内に位置するステップ面３９Ａと接触している（図７）。
【００２０】
図５に示すように、第２の回路基板１５も第１の回路基板１３と同様に、ほぼ円板形状を有している。第２の回路基板１５の外周部にも第２の回路基板１５の厚み方向と該厚み方向と直交し且つ第２の回路基板１５の中心から第２の回路基板１５の基板表面に沿って外側に延びる方向の両方向に開口する３個の凹部１５ａ〜１５ｃが形成されている。３個の凹部１５ａ〜１５ｃには、３本の基板支持部２１，２３，２５の第３の壁部分４３Ｃがそれぞれ嵌合されている。このように、基板支持部２１，２３，２５のステップ部４１は、３本の基板支持部２１，２３，２５の第３の壁部分４３Ｃと第２の回路基板１５の外周部とが干渉しないように定められている。また、凹部１５ａ〜１５ｃは、第３の壁部分４３Ｃとしっかりと嵌合される形状及び寸法を有している。このため、３個の凹部１５ａ〜１５ｃは、３本の基板支持部２１，２３，２５の第３の壁部分４３Ｃに対応して、周方向に不等間隔をあけて配置されており、凹部１５ａ〜１５ｃの順番で周方向の長さ寸法Ｌ１１〜Ｌ１３が短くなっている。また、第２の回路基板１５の裏面の外周縁部の凹部１５ａ〜１５ｃにそれぞれ隣接する部分１５ｅは、基板支持部２１，２３，２５の同一の仮想平面ＩＰ２内に位置するステップ面３９Ｂと接触している（図７）。第２の回路基板１５は、第１〜第３の回路基板１３，１５，１７の中間に位置する回路基板である。第２の回路基板１５には、外部からのアクセスを必要とする電気部品であるＦＰＧＡ４５が配置されている。図２に示すように、ＦＰＧＡ４５の複数のアクセス用電極部に電気的に接続された複数本の接続導体４７は、ベース部材１９とは反対側に位置する第３の回路基板１７に形成された複数の貫通孔を通して第３の回路基板１７の基板表面から突出している。
【００２１】
図１に示すように、第３の回路基板１７も第１の回路基板１３と同様に、ほぼ円板形状を有している。第３の回路基板１７の外周部にも第３の回路基板１７の厚み方向と該厚み方向と直交し且つ第３の回路基板１７の中心から第３の回路基板１７の基板表面に沿って外側に延びる方向の両方向に開口する３個の凹部１７ａ〜１７ｃが形成されている。３個の凹部１７ａ〜１７ｃには、３本の基板支持部２１，２３，２５の第４の壁部分４３Ｄがそれぞれ嵌合されている。このように、基板支持部２１，２３，２５のステップ部４１は、３本の基板支持部２１，２３，２５の第４の壁部分４３Ｄと第３の回路基板１７の外周部とが干渉しないように定められている。また、凹部１７ａ〜１７ｃは、第４の壁部分４３Ｄとしっかりと嵌合される形状及び寸法を有している。このため、３個の凹部１７ａ〜１７ｃは、３本の基板支持部２１，２３，２５の第４の壁部分４３Ｄに対応して、周方向に不等間隔をあけて配置されており、凹部１７ａ〜１７ｃの順番で周方向の長さ寸法Ｌ２１〜Ｌ２３が短くなっている。また、第３の回路基板１７の裏面の外周縁部の凹部１７ａ〜１７ｃにそれぞれ隣接する部分１７ｅは、基板支持部２１，２３，２５の同一の仮想平面ＩＰ３内に位置するステップ面３９Ｃと接触している（図７）。
【００２２】
本例の絶対位置検出用エンコーダに設けられた回路装置３によれば、基板支持部２１〜２５が回路基板１３〜１７の外周縁部に位置しているため、従来のように、基板支持部やスルーホールの存在に阻害されることなく、回路基板１３〜１７上の広い範囲に有効的に回路や電気部品を配置することができる。また、基板支持部２１〜２５は周方向に不等間隔をあけて配置されているので、回路基板１３〜１７を誤った位置で基板支持部に取り付けるのを防止でき、回路基板１３〜１７の回路基板支持構造体１１に対する位置決めが容易になる。
【００２３】
なお、上記の実施の形態では、回転型絶対位置検出器として、リラクタンスレゾルバを用いたが、光学式絶対位置検出器を用いても良いのは勿論である。また、本発明は、他の電気製品の回路装置にも本発明が適用できるのは勿論である。
【図面の簡単な説明】
【００２４】
【図１】本発明の回路装置が設けられた絶対位置検出用エンコーダの平面図である。
【図２】図１のII-II線断面図である。
【図３】図２のIII-III線断面図である。
【図４】図２のIV-IV線断面図である。
【図５】図２のV-V線断面図である。
【図６】図１に示す絶対位置検出用エンコーダに用いる回路基板支持構造体の斜視図である。
【図７】図６に示す回路基板支持構造体の断面図である。
【符号の説明】
【００２５】
３  回路装置
１１  回路基板支持構造体
１３，１５，１７  第１〜第３の回路基板
１９  ベース部材
２１，２３，２５  基板支持部
ＩＰ１〜ＩＰ３  仮想平面
３９Ａ〜３９Ｃ  ステップ面
４１  ステップ部
４３Ａ〜４３Ｄ  第１〜第４の壁部分
１３ａ〜１３ｃ，１５ａ〜１５ｃ，１７ａ〜１７ｃ  凹部
【図１】
2009290127.tif 000003
【図２】
2009290127.tif 000004
【図３】
2009290127.tif 000005
【図４】
2009290127.tif 000006
【図５】
2009290127.tif 000007
【図６】
2009290127.tif 000008
【図７】
2009290127.tif 000009